(57)【要約】【課題】攪拌中に缶容器内壁に薬品が付着することを防止し、薬品の混合、分散を良好に行うことができる輪転式薬品ブレンダー装置に用いる缶容器用内袋、これを装着した缶容器およびこれを用いた薬品の混合方法を提供する。【解決手段】輪転式薬品ブレンダー装置に使用される円筒状の缶容器の内面を覆う、開口部２と、側面部４と、底面部３と、を有するゴム製の缶容器用内袋１である。缶容器用内袋１の底面部３の周縁に、缶容器の底面部に固定するための固定部材を挿通する挿通孔６を有する固定部材保持部７が形成されている。【選択図】図１
2014144790.tif 000002
【特許請求の範囲】
【請求項１】
輪転式薬品ブレンダー装置に使用される円筒状の缶容器の内面を覆う、開口部と、側面部と、底面部と、を有するゴム製の缶容器用内袋において、
前記缶容器用内袋の底面部の周縁に、前記缶容器の底面部に固定するための固定部材を挿通する挿通孔を有する固定部材保持部が形成されていることを特徴とする缶容器用内袋。
【請求項２】
前記固定部材保持部が、適宜間隔を開けて複数個設けられている請求項１記載の缶容器用内袋。
【請求項３】
前記側面部の前記上面開口部に、切り込みを有する請求項１または２記載の缶容器用内袋。
【請求項４】
請求項１〜３のうちいずれか一項記載の缶容器用内袋が装着された、輪転式薬品ブレンダー装置に使用される円筒状の缶容器において、
前記缶容器用内袋の底面部の前記固定部材保持部に固定部材が挿通された後、前記缶容器用内袋が前記缶容器に収容され、前記固定部材が前記缶容器の底面部に設けられた複数のねじ孔を介して固定されてなり、かつ、
前記缶容器の上面開口部を越えて延在する前記缶容器用内袋の上面開口部の縁部が、前記缶容器の上面開口部に沿って外側に折り返された後、折り返し端部が前記缶容器の上面開口部下部にて保持具にて固定されてなることを特徴とする缶容器。
【請求項５】
前記缶容器の底面部の径が、前記缶容器用内袋の底面部の径よりも大きい請求項４記載の缶容器。
【請求項６】
請求項４または５記載の缶容器に少なくとも２種の薬品を投入した後、輪転式薬品ブレンダー装置にて前記薬品を混合することを特徴とする薬品の混合方法。
【発明の詳細な説明】
【技術分野】
【０００１】
本発明は、缶容器用内袋（以下、単に「内袋」とも称する）、それを用いた缶容器、および薬品の混合方法に関し、詳しくは、攪拌中に缶容器内壁に薬品が付着するのを防止することができる輪転式薬品ブレンダー装置に用いる缶容器用内袋、これを装着した缶容器およびこれを用いた薬品の混合方法に関する。
【背景技術】
【０００２】
通常、輪転式薬品ブレンダー装置で薬品を配合する場合、計量した薬品等を順に専用の缶容器に入れ、その後、その缶容器に対して輪転式攪拌処理を施す。攪拌後は、１バッチ（作業１回あたりに使用する薬品の量）分の薬品を取り出してミキサーに投入する。
【０００３】
しかしながら、輪転式薬品ブレンダー装置の場合、原材料のコスト削減のため、ハンドリングしやすい造粒品ではなく廉価薬品を使用すると、薬品が均一に混合、分散せず、その結果、そのような薬品を練り込んだゴムの薬品分散も悪くなり、製品不良が生じ易くなる。また、缶容器内に薬品が付着し易くなるために、缶容器内に付着した薬品を取り除くため、人手による除去作業が必要になる。
【０００４】
輪転式薬品ブレンダー装置で薬品を配合する場合の一例として、ゴムタイヤを製造する際の薬品の配合方法を図８および図９に示す。まず、図８に示すように、配合する各種薬品を収容したフレキシブルコンテナバッグ２０Ａ，２０Ｂ，２０Ｃ，２０Ｄから各種薬品を順次缶容器１０に投入し、複数バッチ分計量を行う。
【０００５】
次に、図９の（ａ）に示すように、計量した各種薬品を収容した缶容器１０を輪転式の攪拌装置２１にて攪拌する。このときに廉価な薬品では缶容器１０の内壁に薬品が付着し、薬品の分散不良が発生する。そのような状態の薬品を、（ｂ）に示すように１バッチ分計量した後、（ｃ）に示すように計量物２２をミキサー２３に投入してゴムを混練すると、練ゴムの薬品分散不良となり、不良タイヤが発生する要因となる。
【０００６】
ところで、各種缶容器１０の内壁への薬品の付着防止等のため、缶容器用の内袋としては種々のタイプのものが提案されている。例えば、特許文献１では、缶用の内袋として、上面開口部が底面部より大きな円錐状のテーパー缶に収納してもシワが生じることがなく、保存や輸送時におりたためるような内袋が提案されている。
【先行技術文献】
【特許文献】
【０００７】
【特許文献１】特開２００４−３５０６２号公報（特許請求の範囲等）
【発明の概要】
【発明が解決しようとする課題】
【０００８】
しかしながら、上掲の特許文献１に記載された内袋は、輪転式薬品ブレンダー装置用缶容器への適用に際しては必ずしも満足できるものではなかった。すなわち、輪転式薬品ブレンダー装置用缶容器に特許文献１に記載の内袋を用いた場合、攪拌中に内袋が移動したり、ズレたりし、薬品が良好に混合、分散されず、また内袋にシワが生じた際、そのシワ部分に薬品が溜まり、薬品の取れ回数が減少するという問題があった。
【０００９】
そこで本発明の目的は、攪拌中に缶容器内壁に薬品が付着することを防止し、薬品の混合、分散を良好に行うことができる輪転式薬品ブレンダー装置に用いる缶容器用内袋、これを装着した缶容器およびこれを用いた薬品の混合方法を提供することにある。
【課題を解決するための手段】
【００１０】
本発明者は、前記課題を解決するために、輪転式薬品ブレンダー装置用缶容器と内袋の両面から鋭意検討を加えた結果、双方を特定の構造とすることにより前記目的を達成し得ることを見出し、本発明を完成するに至った。
【００１１】
本発明の缶容器用内袋は、輪転式薬品ブレンダー装置に使用される円筒状の缶容器の内面を覆う、開口部と、側面部と、底面部と、を有するゴム製の缶容器用内袋において、
前記缶容器用内袋の底面部の周縁に、前記缶容器の底面部に固定するための固定部材を挿通する挿通孔を有する固定部材保持部が形成されていることを特徴とするものである。
【００１２】
本発明の缶容器用内袋は、前記固定部材保持部は、適宜間隔を開けて複数個設けられていることが好ましい。また、前記側面部の前記上面開口部に、切り込みを有することが好ましい。
【００１３】
本発明の缶容器は、上記本発明の缶容器用内袋が装着された、輪転式薬品ブレンダー装置に使用される円筒状の缶容器において、
前記缶容器用内袋の底面部の前記固定部材保持部に固定部材が挿通された後、前記缶容器用内袋が前記缶容器に収容され、前記固定部材が前記缶容器の底面部に設けられた複数のねじ孔を介して固定されてなり、かつ、
前記缶容器の上面開口部を越えて延在する前記缶容器用内袋の上面開口部の縁部が、前記缶容器の上面開口部に沿って外側に折り返された後、折り返し端部が前記缶容器の上面開口部下部にて保持具にて固定されてなることを特徴とするものである。これによれば、内袋は缶容器の上面と底面のみが固定されて、内袋の側面部は容器に固定されていないため、輪転式薬品ブレンダー装置における攪拌処理時に、内袋の側面部が揺動し、薬品が缶容器の内壁に付着する事を防止する事ができる。また、内袋の上面開口部と底面部を缶容器に確実に固定できるため、缶容器を反転させたとしても内袋が落ちるようなことはない。
【００１４】
本発明においては、前記缶容器の底面部の径は、前記缶容器用内袋の底面部の径よりも大きいことが好ましい。すなわち、内袋の底面部の径が、缶容器の径よりも小さいため、内袋の側面部においては、缶容器との間に隙間が生じる。その結果、輪転式薬品ブレンダー装置による攪拌処理時に内袋の側面部が揺動しやすくなり、缶容器の内壁への薬品の付着を良好に防止することができる。
【００１５】
本発明の薬品の混合方法は、上記本発明の缶容器に少なくとも２種の薬品を投入した後、輪転式薬品ブレンダー装置にて前記薬品を混合することを特徴とするものである。これによれば、薬品が缶容器の内壁面に付着することがないので、薬品の混合、分散を良好に行うことができる。
【発明の効果】
【００１６】
本発明によれば、内袋を缶容器底面および上面にしっかり固定することができ、攪拌中に内袋が缶容器内で移動したり、ズレたりすることがない。
【００１７】
また、袋体に薬品が付着しづらくなるとともに、シワの発生を軽減できるため、内袋に薬品が溜まらず、効率よい攪拌、計量作業を行うことができる。
【図面の簡単な説明】
【００１８】
【図１】（ａ）は本発明の一実施形態における内袋の全体斜視図、（ｂ）は前記内袋の底面部を示す斜視図である。
【図２】図１に示す内袋の正面図である。
【図３】図１に示す内袋の底面図である。
【図４】内袋の固定部材保持部に装着される固定部材を示す平面図である。
【図５】缶容器への図１に示す内袋の使用状態を示す説明図である。
【図６】内袋の上面開口部の縁部を固定する保持具を示す斜視図である。
【図７】（ａ）、（ｂ）は夫々内袋の開口部の固定状態を示す説明図である。
【図８】薬品の計量手順を示す説明図である。
【図９】（ａ）は薬品の攪拌状態、（ｂ）は計量状態、（ｃ）は混練状態を夫々示す模式図である。
【発明を実施するための形態】
【００１９】
以下、本発明の実施の形態を図面に基づいて説明する。
図５に示すように、本発明の好適例である輪転式薬品ブレンダー装置用缶容器１０は、缶容器１０の上面開口部の縁部に内袋１の上面開口部を固定する湾曲部１１が形成されている。また、図示例においては、缶容器１０の底面には内袋１の底面をボルト１２で固定するための複数の貫通ねじ孔が穿設されている。本発明においては、その他の構造は特に制限されるものではなく、従来構造と同様にすることができる。
【００２０】
図１（ａ）に、本発明の一実施形態における内袋の全体斜視図、（ｂ）は前記内袋の底面部を示す斜視図を示す。図１に示す本発明の好適例である円筒状の缶容器用内袋１は、上面に開口部２と底面部３と側面部４とからなり、底面部３の周縁５には、周方向に缶容器内袋１を缶容器に固定する固定部材を挿通する挿通孔６を有する固定部材保持部７が形成されている。
【００２１】
内袋１は缶容器１０の内壁面を良好に覆うことができるように柔軟性を有するゴム製とする。ゴム製とすることにより内容物である薬品との密着性が低下し、また薬品を１バッチ分計量する際に側面部４が揺動して薬品が落下し易くなる。すなわち、輪転式薬品ブレンダーで缶容器に納められた薬品を混合する際、缶容器を覆う缶容器用内袋１の側面部４が揺動して薬品が落下し易くなるのである。好ましくは、耐熱性、耐油性、耐薬品性に優れているクロロプレンゴム製とする。
【００２２】
また、内袋１は、図２に示すように、底面部３の径ｄが上面開口部２の径Ｄより小径状に形成されていることが好ましい。内袋１の底面部３の径ｄを上面開口部２の径Ｄより小径状とすることで、内袋１の下方が断面視で傾斜状に形成され、内袋１を缶容器１０の内部に収容させることが容易となる。また、薬品を１バッチ分計量する際に底面の周囲に薬品が溜まるという問題も解消することができる。本発明においては、缶容器１０の底面部よりも、缶容器用内袋１の底面部３の径ｄを小さくする。すなわち、缶容器１０と内袋１との間に隙間が生じ、薬品の撹拌処理時の内袋１の側面部４の揺動が起こりやすくなり、薬品の壁面への付着を良好に防止することができる。
【００２３】
本発明においては、内袋１の側面部４の上端には複数の切り込み１６を入れておくことが好ましい。この切り込み１６が存在することにより、缶容器１０の上面開口部を越えて延在する内袋１の上面開口部の縁部を湾曲部１１に沿って外側にリング状に折り返す作業が容易となる。
【００２４】
内袋１の固定部材保持部７は、底面部３の周縁に所定間隔を有する状態に複数（図中では４箇所）形成される。また、周方向に挿通孔を有する固定部材保持部７間の挿通孔６からは、図４に示す、４分割された管状リングの固定部材８が夫々挿通孔６に挿通され、収容される。固定部材保持部７に装着された固定部材８は、内袋１の底面部３を缶容器１０の底面に保持するために必要となる。
【００２５】
次に、輪転式薬品ブレンダー装置用缶容器１０に内袋１を取り付ける方法において説明する。まずは、内袋１の底面部３の周縁に存在する固定部材保持部７に固定部材８を挿通する。具体的には、図４に示す例のように、周方向に挿通孔６を有する固定部材保持部７間の挿通孔６から、４分割された管状リングの固定部材８を固定部材保持部７の挿通孔６に挿通する。図示する固定部材８は、管状のリングが４分割されたもので、それぞれの端部近傍には缶容器１０の底面部に固定するためのねじ孔９が穿設されておいる。尚、固定部材保持部７の数および管状リングの分割数は４に限定されるものではない。
【００２６】
固定部材８を装着した内袋１を缶容器１０に収容した後、固定部材８の端部近傍に穿設されたねじ孔９と、缶容器１０の底面に穿設されたねじ孔との位置合わせをし、次いで、図５に示すようにして、これらねじ孔９にボルト１２を螺合する。これに内袋１を缶容器１０の底面に強固に固定することができる。
【００２７】
内袋１の底面部３の固定後、缶容器１０の上面開口部を越えて延在する内袋１の上面開口部２の縁部を、図５および図６に示す例のように湾曲部１１に沿って外側に折り返す。しかる後、折り返し端部を湾曲部１１の下部にて円形バンド１４にて固定する。円形バンド１４は、好ましくは伸縮自在のゴム部材等とすることで、内袋のしわを伸ばして折り返し部を仮固定するのに好適である。円形バンド１４で仮固定した後、保持具１３で折り返し部を強固に固定する。保持具１３は、好ましくは図６に示すようにＣリングをその両端からボルト１５で締め上げることができる構造とする。
【００２８】
上述の方法により、内袋１を缶容器１０の上下で、シワが残らない状態にて強固に固定することができる。これにより、シワに薬品が溜まらず薬品を効率よく回収することができる。また、薬品を１バッチ分計量する際に、内袋１の側面部４が揺動するため薬品が内面に付着せずに容易に落下するという効果も得られる。
【００２９】
本発明の輪転式薬品ブレンダー装置に用いる缶容器用内袋を用いて廉価な薬品の輪転攪拌処理を行ったところ、従来の輪転式薬品ブレンダー装置の使用時に比べ、当該薬品の付着量が最大９７％減少することが確かめられた。
【符号の説明】
【００３０】
１  内袋、２  開口部、３  底面部、４  側面部、５  周縁、６  挿通孔、７  固定部材保持部、８  固定部材、９  ねじ孔、１０  缶容器、１１  湾曲部、１２  ボルト、１３  保持具、１４  バンド、１５  ボルト、１６  切り込み、２０  コンテナバッグ、２１  攪拌機、２２  計量物、２３  ミキサー、ｄ  底面径、Ｄ  開口部径
【図１】
2014144790.tif 000003
【図２】
2014144790.tif 000004
【図３】
2014144790.tif 000005
【図４】
2014144790.tif 000006
【図５】
2014144790.tif 000007
【図６】
2014144790.tif 000008
【図７】
2014144790.tif 000009
【図８】
2014144790.tif 000010
【図９】
2014144790.tif 000011